(57)【要約】【課題】装着者の視認性を損なわずに消費電力を低減可能な頭部装着型表示装置を提供すること。【解決手段】本頭部装着型表示装置は、映像を表示する映像表示部と、前記映像を装着者の眼に導く光学手段と、外光の光強度を検出する光強度検出手段と、前記外光の透過率を可変し、前記眼に達する前記外光の強度を調整する調光フィルタと、前記光強度検出手段で得た前記外光の光強度に基づいて、前記調光フィルタの透過率と前記映像表示部の光源の光強度を調節する制御部と、を有する。【選択図】図７
2016139116.tif 000002
【特許請求の範囲】
【請求項１】
映像を表示する映像表示部と、
前記映像を装着者の眼に導く光学手段と、
外光の光強度を検出する光強度検出手段と、
前記外光の透過率を可変し、前記眼に達する前記外光の強度を調整する調光フィルタと、
前記光強度検出手段で得た前記外光の光強度に基づいて、前記調光フィルタの透過率と前記映像表示部の光源の光強度を調節する制御部と、を有する頭部装着型表示装置。
【請求項２】
前記制御部は、
前記外光の光強度が第１の範囲にあるときは、前記映像表示部の光源の光強度を一定にして、前記外光の光強度が高くなるに従って前記調光フィルタの透過率を段階的に低くし、
前記外光の光強度が前記第１の範囲よりも光強度が高い第２の範囲にあるときは、前記調光フィルタの透過率を一定にして、前記外光の光強度が高くなるに従って前記映像表示部の光源の光強度を段階的に高くする請求項１記載の頭部装着型表示装置。
【請求項３】
前記第２の範囲では、前記調光フィルタの透過率が最小値に固定される請求項２記載の頭部装着型表示装置。
【請求項４】
前記制御部は、前記外光の光強度と、前記調光フィルタの透過率と、前記映像表示部の光源の光強度との関係を示す調節テーブルを予め記憶しており、前記調節テーブルに基づいて、前記調光フィルタの透過率と前記映像表示部の光源の光強度を調節する請求項１乃至３の何れか一項記載の頭部装着型表示装置。
【請求項５】
前記制御部は、前記調光フィルタの透過率と前記映像表示部の光源の光強度を多段階で調節する機能を備え、
前記光強度検出手段で得た外光の光強度の情報と、前記調節テーブルとに基づいて、前記調光フィルタの透過率と前記映像表示部の光源の光強度を自動調節する請求項４記載の頭部装着型表示装置。
【請求項６】
前記調節テーブルにおける前記調光フィルタの透過率は、下記の式（１）及び（２）で算出されるＴに対して±２０％の範囲内の値である請求項５記載の頭部装着型表示装置。
Ｔ＝（Ｃ×ｋ）／（Ｄ×Ａ）・・・（１）
Ｄ＝−ｌｏｇ（（Ｌｍａｘ−Ｌ０）／（Ｌｍａｘ−Ｌｍｉｎ））・・・（２）
但し、式（１）及び（２）において、Ｔ：調光フィルタの透過率、Ｃ：映像の光強度、Ａ：表示装置の入射面での外光の光強度、Ｌｍａｘ：見やすさレベルの最大値、Ｌｍｉｎ：見やすさレベルの最小値、Ｌ０：見やすさレベルの閾値、ｋ：映像係数、である。
【請求項７】
前記制御部は、下記式（１）及び（２）に基づいて、前記光強度検出手段からの信号により前記調節テーブルを随時作成し、作成された前記調節テーブルに基づいて、見やすさレベルが閾値以上となるように前記調光フィルタの透過率と前記映像表示部の光源の光強度とを自動調節する請求項５又は６記載の頭部装着型表示装置。
Ｔ＝（Ｃ×ｋ）／（Ｄ×Ａ）・・・（１）
Ｄ＝−ｌｏｇ（（Ｌｍａｘ−Ｌ０）／（Ｌｍａｘ−Ｌｍｉｎ））・・・（２）
但し、式（１）及び（２）において、Ｔ：調光フィルタの透過率、Ｃ：映像の光強度、Ａ：表示装置の入射面での外光の光強度、Ｌｍａｘ：見やすさレベルの最大値、Ｌｍｉｎ：見やすさレベルの最小値、Ｌ０：見やすさレベルの閾値、ｋ：映像係数、である。
【請求項８】
前記調節テーブルが複数記憶されており、
前記装着者は、複数の前記調節テーブルを任意に切り替え可能である請求項４乃至７の何れか一項記載の頭部装着型表示装置。
【請求項９】
前記制御部は、前記映像表示部に映像を表示する前に前記調光フィルタの制御を開始する請求項１乃至８の何れか一項記載の頭部装着型表示装置。
【請求項１０】
前記制御部は、前記光強度検出手段が検出した外光の光強度と、前記調光フィルタの透過率とに基づいて、前記映像表示部に表示する映像の階調数を変化させる請求項１乃至９の何れか一項記載の頭部装着型表示装置。
【請求項１１】
前記調光フィルタの透過率を検知する透過率検知手段を有し、
前記制御部は、前記透過率検知手段の検知結果に基づいて、前記調光フィルタの透過率を修正する請求項１乃至１０の何れか一項記載の頭部装着型表示装置。
【請求項１２】
前記映像表示部を駆動させるための電源と、前記調光フィルタを駆動させるための電源に同一の電源を用いた請求項１乃至１１の何れか一項記載の頭部装着型表示装置。
【請求項１３】
前記調光フィルタは、エレクトロクロミック素子を備えている請求項１乃至１２の何れか一項記載の頭部装着型表示装置。
【請求項１４】
前記調光フィルタが着脱可能である請求項１乃至１３の何れか一項記載の頭部装着型表示装置。
【請求項１５】
映像を表示する映像表示部と、前記映像を装着者の眼に導く光学手段と、を有する頭部装着型表示装置に映像を表示する表示方法であって、
外光の光強度を検出するステップと、
前記外光の光強度に基づいて、前記外光の透過率と前記映像表示部の光源の光強度を調節するステップと、を有する表示方法。
【発明の詳細な説明】
【技術分野】
【０００１】
本発明は、頭部装着型表示装置、及び頭部装着型表示装置に映像を表示する表示方法に関する。
【背景技術】
【０００２】
従来、使用者の頭部に装着され、表示した映像の光と外界からの光を眼に導いて、映像と外界の像を提供する頭部装着型表示装置（所謂、ヘッドマウントディスプレイ）が知られている。
【０００３】
このような頭部装着型表示装置の一例として、周囲の景色と一対の小型ディスプレイに映し出される映像とを、一対の反射ミラーと一対の接眼レンズと偏光ビームスプリッタからなる光学系を介して光学的に重ねて見えるように構成した装置が挙げられる。この装置では、偏光ビームスプリッタの前方に、透過率を可変できる減光シャッタが設けられている（例えば、特許文献１参照）。
【発明の概要】
【発明が解決しようとする課題】
【０００４】
しかしながら、上記の装置では、減光シャッタにより映像のコントラストを確保して視認性は改善できるものの、減光シャッタにより必要以上の映像コントラストとなる場合や、必要以上の映像輝度となる場合がある。これにより、前者は装置を介して見る背景が見え難くなり、後者は消費電力が大きくなるという問題がある。
【０００５】
本発明は、上記の点に鑑みてなされたものであり、装着者の視認性を損なわずに消費電力を低減可能な頭部装着型表示装置を提供することを目的とする。
【課題を解決するための手段】
【０００６】
本頭部装着型表示装置は、映像を表示する映像表示部と、前記映像を装着者の眼に導く光学手段と、外光の光強度を検出する光強度検出手段と、前記外光の透過率を可変し、前記眼に達する前記外光の強度を調整する調光フィルタと、前記光強度検出手段で得た前記外光の光強度に基づいて、前記調光フィルタの透過率と前記映像表示部の光源の光強度を調節する制御部と、を有することを要件とする。
【発明の効果】
【０００７】
開示の技術によれば、装着者の視認性を損なわずに消費電力を低減可能な頭部装着型表示装置を提供できる。
【図面の簡単な説明】
【０００８】
【図１】本実施の形態に係る表示装置の外観を例示する斜視図である。
【図２】装着者が表示装置を装着した様子を例示する左側面図である。
【図３】装着者が表示装置を装着した様子を例示する平面図である。
【図４】本実施の形態に係る表示装置の構成を部分的に例示する模式図である。
【図５】調光フィルタの構造を例示する断面図である。
【図６】外光の光強度Ａ、透過光の光強度Ｂ、及び映像の光強度Ｃの関係について説明する図である。
【図７】調光フィルタの透過率と映像表示部のディスプレイ輝度の調節について説明する図である。
【図８】調光フィルタの透過率の変化を例示する図である。
【図９】視認性の測定について説明する図である。
【図１０】外光の光強度がＡ１であるときの映像輝度と視認性との関係を例示する図である。
【図１１】外光の光強度がＡ２（Ａ２<Ａ１）であるときの映像輝度と視認性との関係を例示する図である。
【図１２】外光の光強度がＡ３（Ａ３>Ａ１）であるときの映像輝度と視認性との関係を例示する図である。
【図１３】制御部に予め記憶された調節テーブルの例である。
【図１４】視認性の官能評価の一例の結果を示す図である。
【図１５】図１４を光強度比に対する映像の視認性レベルとしてプロットし直した図である。
【図１６】映像の種類による光強度比に対する映像の視認性レベルのカーブの違いを例示する図である。
【図１７】映像表示部の光源の駆動電圧と光強度検出手段の検出値との関係を例示する図である。
【図１８】制御部に予め記憶された調節テーブルの他の例である。
【図１９】外光の明るさとセンサの出力電圧との関係を例示する図である。
【図２０】調光フィルタの駆動電圧と調光フィルタの透過率との関係を例示する図である。
【図２１】自動調節を行う制御部のブロックを例示する図である。
【図２２】階調数を下げた場合の効果について説明する写真の例である。
【発明を実施するための形態】
【０００９】
以下、図面を参照して、実施の形態の説明を行う。なお、各図面において、同一構成部分には同一符号を付し、重複した説明を省略する場合がある。
【００１０】
〈第１の実施の形態〉
図１は、本実施の形態に係る表示装置の外観を例示する斜視図である。図２は、装着者が表示装置を装着した様子を例示する左側面図である。図３は、装着者が表示装置を装着した様子を例示する平面図である。図４は、本実施の形態に係る表示装置の構成を部分的に例示する図である。
【００１１】
図１〜図４を参照するに、表示装置１は、主に、映像表示部１０と、光学部２０と、導光板３０と、調光フィルタ４０と、ハーフミラー５０と、センサ６０と、制御部７０とを有しており、人間（装着者１００）の頭部に装着可能な頭部装着型表示装置である。表示装置１は、例えば、眼鏡に類する形状とすることができる。
【００１２】
表示装置１は、左右に１組ずつ略対称に設けられたフロント１ａ及びテンプル１ｂにより構成されている。フロント１ａは、例えば、導光板３０により構成することができ、映像表示部１０、光学部２０、制御部７０等は、例えば、テンプル１ｂに内蔵することができる。なお、図４では、左眼用の構成を例示しているが、表示装置１は右眼用としても同様の構成を有している。
【００１３】
表示装置１は、調光フィルタ４０を介して外部から入射する光（外界の映像）をハーフミラー５０を透過させて、表示装置１の装着者１００に視認させると共に、それに重畳させて映像表示部１０からの映像を装着者１００に視認させることが可能な装置である。以下、表示装置１の各構成要素について説明する。
【００１４】
映像表示部１０は、例えば、液晶表示素子であり、光源から赤色光、緑色光及び青色光を含む光を発生させ、光源からの光を拡散させて光学部２０に向けて出射する。映像表示部１０が液晶表示素子である場合、例えば、映像表示部１０の背面側（光学部２０側とは反対側）にはバックライト８０（映像表示部１０の光源）が配される。バックライト８０の発する光の強さを制御部７０で制御することで、映像表示部１０に表示させる映像の光強度（輝度）を調節することができる。
【００１５】
なお、映像表示部１０に表示させる映像は、例えば、表示装置１の外部から有線や無線で供給することができる。或いは、表示装置１に着脱可能な記憶部（メモリーカード等）を設け、記憶部を介して映像を供給する構成にしてもよい。
【００１６】
光学部２０は、映像表示部１０から出射された光を導光板３０に導く部分であり、例えば、レンズ２１やミラー２２を有している。光学部２０は、複数のレンズを有する構成としてもよいし、プリズム等を用いる構成としてもよい。
【００１７】
導光板３０は、光学部２０から出射された光を内壁面で反射させながらハーフミラー５０に導光する部分である。導光板３０は、光学部２０から出射された光の波長に対して透過性を有する樹脂等により形成されている。ハーフミラー５０は、導光板３０からの光を表示装置１の背面側に反射し、表示装置１の装着者１００の眼（図４では左眼１００Ｌ）の方向に出射する部分である。なお、光学部２０、導光板３０、及びハーフミラー５０は、映像表示部１０が表示する映像を装着者１００の眼に導く光学手段の代表的な一例である。
【００１８】
調光フィルタ４０は、外部から表示装置１に入射する光（外光）の透過率を電気的に可変し、装着者１００の眼に達する外光の強度を調整する部分である。調光フィルタ４０は、例えば、導光板３０の前面（装着者１００の眼とは反対側）に、装着者１００の視野を覆う形で設けられている。調光フィルタ４０は、例えば、エレクトロクロミック素子を用いて構成できる。エレクトロクロミック素子は、例えば、可視光に対して透明なガラス基板上若しくはプラスチック基板上に形成することができる。調光フィルタ４０としてエレクトロクロミック素子を用いることで、周囲の明るさが変化しても、瞬時に調光フィルタ４０が応答して、視認性を見やすい状態で一定に保つことができる。
【００１９】
ここで、図５を参照しながら、調光フィルタ４０の構造の一例について説明する。調光フィルタ４０は、表示基板４１上に酸化チタン粒子膜４２及び表示層４３を形成し、１０μｍ程度のスペーサ４４を介して対向基板４５を貼り合わせたセル構造とすることができる。セル構造内には、電解液として、例えば、１-エチル-３-メチルイミダゾリウム・テトラシアノボレートが封入されている。
【００２０】
表示基板４１としては、例えば、ＩＴＯをスパッタで製膜して導電層を形成した６０ｍｍ×６０ｍｍ程度のガラス基板を用いることができる。酸化チタン粒子膜４２は、例えば、表示基板４１の導電層の上面に酸化チタンナノ粒子分散液（昭和タイタニウム社製ＳＰ２１０）をスピンコート法等により塗布し、１２０℃程度の温度で１５分間程度アニール処理を行うことによって形成できる。
【００２１】
表示層４３は、例えば、酸化チタン粒子膜４２上に下記の構造式（化１）で示される化合物の１ｗｔ％２，２，３，３−テトラフロロプロパノール溶液を塗布液としてスピンコート法等により塗布する。そして、１２０℃程度の温度で５分間程度アニール処理を行うことによって、酸化チタン粒子膜４２を構成する酸化チタン粒子表面にエレクトロクロミック化合物を吸着させて形成できる。対向基板４５としては、例えば、酸化発色する色素をスピンコート塗布したＩＴＯ付きガラス基板を用いることができる。
【００２２】
なお、例えば、図５に示す調光フィルタ４０を他の構成部と独立に作製し、フロント１ａに着脱可能な構造としてもよい。これにより、調光フィルタ４０を消耗度に応じて交換可能となるため、表示装置１を常に見やすい状態に維持することができる。
【００２３】
【化１】
2016139116.tif 000003
図１〜図４の説明に戻り、センサ６０は、外光の光強度（表示装置１の周囲の明るさ）を検出するセンサである。光強度を測定する物理量としては、照度と輝度があり、本実施の形態では、センサ６０として照度センサ又は輝度センサを用いることができる。具体的には、センサ６０としては、例えば、フォトダイオード等を用いることができる。センサ６０は、例えば、フロント１ａ上に取り付けることができる。センサ６０は、本発明に係る光強度検出手段の代表的な一例である。
【００２４】
制御部７０は、センサ６０で得た外光の光強度に基づいて、調光フィルタ４０の透過率と映像表示部１０の光源の光強度を調節する部分である。制御部７０は、これ以外の様々な機能を有していても構わない。制御部７０は、例えば、ＣＰＵ（Central Processing Unit）、ＲＯＭ（Read Only Memory）、ＲＡＭ（Random Access Memory）、メインメモリ等を含むように構成することができる。
【００２５】
この場合、制御部７０の各種機能は、ＲＯＭ等に記録されたプログラムがメインメモリに読み出されてＣＰＵにより実行されることによって実現できる。制御部７０のＣＰＵは、必要に応じてＲＡＭからデータを読み出したり、格納したりできる。但し、制御部７０の一部又は全部は、ハードウェアのみにより実現されてもよい。又、制御部７０は、物理的に複数の装置等により構成されてもよい。
【００２６】
電源９０は、映像表示部１０、調光フィルタ４０及び制御部７０等に電力を供給する部分である。電源９０としては、例えば、ボタン電池等を用いることができる。なお、映像表示部１０を駆動させるための電源（バックライト８０を駆動させるための電源も含む）と、調光フィルタ４０を駆動させるための電源に同一の電源９０を用いることにより、表示装置１を軽量化することができる。但し、電源９０を表示装置１に内蔵せずに、表示装置１の外部から電源を供給する構成にしてもよい。
【００２７】
図６は、外光の光強度Ａ、調光フィルタ４０で減光された透過光の光強度Ｂ、及び映像表示部１０から送られた映像の光強度Ｃの関係を示している。透過光の光強度Ｂに比べて映像の光強度Ｃが大きいほど、表示される映像は見やすくなる。但し、透過光の光強度Ｂが小さくなりすぎると周辺の実像が見えにくくなる。
【００２８】
そこで、表示装置１では、図７に示すように、センサ６０で外光の光強度Ａをモニタし、モニタ結果を制御部７０に入力する。そして、制御部７０は、センサ６０のモニタ結果と、制御部７０のＲＡＭ等に予め記録された調節テーブルとに基づいて、調光フィルタ４０の透過率（これにより透過光の光強度Ｂを調節）と、映像表示部１０の映像輝度（映像の光強度Ｃ）とを同時に自動調節する。
【００２９】
調光フィルタ４０の透過率は、制御部７０から調光フィルタ４０に定電圧を印加する時間により調節できる。つまり、定電圧を印加する時間により、調光フィルタ４０の表示層４３の電荷量（電流の時間積算）を制御して表示層４３の着色度を変えることで、調光フィルタ４０の透過率を調節できる。
【００３０】
図８は、調光フィルタ４０の透過率の変化を例示する図である。図８では、２Ｖの定電圧を印加して調光フィルタ４０の表示層４３を発色させている。図８より、例えば、調光フィルタ４０の透過率を３０％にしたければ、２Ｖの定電圧を１．５秒間印加すればよいことがわかる。又、調光フィルタ４０の透過率を１０％にしたければ、２Ｖの定電圧を５秒間印加すればよいことがわかる。
【００３１】
但し、調光フィルタ４０の透過率は時間とともに変化する場合がある。そのため、調光フィルタ４０の透過率を検知する透過率検知手段を設け、制御部７０は、透過率検知手段の検知結果に基づいて、調光フィルタ４０の透過率を所望の値に自動修正することが好ましい。これにより、長時間同じ周囲の明るさでも、表示装置１の視認性を変化させずに映像を表示できる。透過率検知手段による検知及び制御部７０による自動修正は、例えば、一定時間間隔で行うことができる。透過率検知手段としては、例えば、フォトダイオード等を用いることができる。
【００３２】
一方、映像表示部１０の映像輝度（映像の光強度Ｃ）は、バックライト８０の発する光の強さを制御部７０で制御することで調節できる。例えば、バックライト８０としてＬＥＤ（Light Emitting Diode）を用い、ＰＷＭ（Pulse Width Modulation）調光する場合を考える。この場合には、制御部７０からの指令によりＬＥＤをＯＮ／ＯＦＦするパルス幅（デューティ比）を変えることで、映像輝度を調節できる。
【００３３】
次に、調光フィルタ４０の透過率と映像表示部１０の映像輝度の調節例について説明する。
【００３４】
まず、それぞれの外光の光強度（減光光量）での映像輝度に対する視認性を測定した。具体的には、図９に示すように、ＬＥＤ白色リング照明５０１を外光に模して、眼の位置に分光光度計５０２のファイバプローブ５０３を配置した。そして、ＬＥＤ白色リング照明５０１で明るさを変えながら、又、映像表示の明るさを変えながら、分光光度計５０２でＲＧＢ映像のスペクトルを測定した。
【００３５】
又、減光するために調光フィルタ４０のエレクトロクロミック素子の着色濃度を制御部７０で電気的に制御して透過率を変えて同様にＲＧＢ映像のスペクトルを測定した。そして、個々のスペクトルから３刺激値ＸＹＺに基づいて、ｘｙ色度を出して、ＲＧＢのｘｙ座標からＲＧＢ面積を映像コントラストとして算出した。この面積が大きいほど視認性が高いと言える。これとは別に、予め、官能評価を行い、ＲＧＢ面積がどの値で視認性が良好か、不良かを求めておいた。
【００３６】
図１０は、外光の光強度がＡ１であるときの映像輝度と視認性との関係を例示する図である。図１０において、（１）の曲線は、調光フィルタ４０が消色状態（透過光の光強度Ｂ１≒外光の光強度Ａ１）の場合を示している。又、（２）の曲線は、調光フィルタ４０が発色状態で透過率が１０％（透過光の光強度Ｂ１＝外光の光強度Ａ１×１／１０）の場合を示している。又、（３）の直線は、図９を参照して説明した検討結果から導いた視認性が良好な場合を示している。
【００３７】
図１０より、例えば、映像輝度がＣ１１である場合には、調光フィルタ４０を消色状態として外光の光強度Ａ１をほとんど減光しないときに視認性が良好となる。又、映像輝度がＣ１１より小さいＣ１２である場合には、調光フィルタ４０の透過率を１０％とすることで、視認性が良好となる。
【００３８】
言い換えれば、調光フィルタ４０の透過率を調節することで、良好な視認性を維持したまま、映像輝度（映像の光強度Ｃ）をＣ１１からＣ１２に減らすことが可能である。従って、センサ６０により外光の光強度Ａ１を検出した場合には、調光フィルタ４０の透過率が１０％、映像輝度（映像の光強度Ｃ）がＣ１２となるように調節すればよい。これにより、映像輝度（映像の光強度Ｃ）を減らしても、良好な視認性を維持できる。つまり、装着者の視認性を損なわずに消費電力を低減可能となる。
【００３９】
図１１は、外光の光強度がＡ２（Ａ２<Ａ１）であるときの映像輝度と視認性との関係を例示する図である。図１１において、（１）の曲線は、調光フィルタ４０が消色状態（透過光の光強度Ｂ２≒外光の光強度Ａ２）の場合を示している。又、（２）の曲線は、調光フィルタ４０が発色状態で透過率が５０％（透過光の光強度Ｂ２＝外光の光強度Ａ２×１／２）の場合を示している。又、（３）の直線は、図９を参照して説明した検討結果から導いた視認性が良好な場合を示している。
【００４０】
図１１より、例えば、映像輝度がＣ２１である場合には、調光フィルタ４０を消色状態として外光の光強度Ａ２をほとんど減光しないときに視認性が良好となる。又、映像輝度がＣ２１より小さいＣ２２である場合には、調光フィルタ４０の透過率を５０％とすることで、視認性が良好となる。
【００４１】
このように、外光の光強度が比較的小さい場合には、調光フィルタ４０の透過率を減らしすぎると、周囲の実像が見えにくくなる。そこで、センサ６０により比較的小さい外光の光強度Ａ２を検出した場合には、調光フィルタ４０の透過率が５０％、映像輝度（映像の光強度Ｃ）がＣ２２となるように調節すればよい。これにより、映像輝度（映像の光強度Ｃ）を減らしても、良好な視認性を維持できる。つまり、装着者の視認性を損なわずに消費電力を低減可能となる。
【００４２】
図１２は、外光の光強度がＡ３（Ａ３>Ａ１）であるときの映像輝度と視認性との関係を例示する図である。図１２において、（１）の曲線は、調光フィルタ４０が消色状態（透過光の光強度Ｂ３≒外光の光強度Ａ３）の場合を示している。又、（２）の曲線は、調光フィルタ４０が発色状態で透過率が１０％（透過光の光強度Ｂ３＝外光の光強度Ａ３×１／１０）の場合を示している。又、（３）の直線は、図９を参照して説明した検討結果から導いた視認性が良好な場合を示している。
【００４３】
このように、外光の光強度が比較的大きい場合には、映像輝度の最大であるＣ３の場合でも外光を減光しないと視認性は不良のレベルであるが、透過率を１０％にすると視認性が良好なレベルになる。但し、この場合、映像輝度はＣ３のままであり、視認性は向上するが、消費電力を低減する効果はない。しかしながら、図１０や図１１の例では消費電力を低減する効果は明らかであり、表示装置１が装着者の視認性を損なわずに消費電力を低減可能な装置であることに変わりはない。
【００４４】
図１３は、制御部に予め記憶された調節テーブルの例である。センサ６０により外光の光強度Ａを検出し、検出結果に基づいて、制御部７０が図１３の調節テーブルにより調光フィルタ４０の透過率（透過光の光強度Ｂ）及び映像輝度（映像の光強度Ｃ）を調節することで、視認性を維持したまま映像輝度を減らすことが可能となる。
【００４５】
図１３の例では、外光の光強度が比較的低い第１の範囲（外光の光強度Ａが１０００ｌｘ未満）にあるときは、映像表示部１０の映像輝度を一定にして、外光の光強度が高くなるに従って調光フィルタ４０の透過率を段階的に低くしている。又、外光の光強度が比較的高い第２の範囲（外光の光強度Ａが１０００ｌｘ以上）にあるときは、調光フィルタ４０の透過率を一定にして（例えば、透過率を最小値に固定して）、外光の光強度が高くなるに従って映像表示部１０の光源の光強度を段階的に高くしている。
【００４６】
但し、これには限定されず、第１の範囲と第２の範囲との間に第３の範囲を設け、第３の範囲では、外光の光強度が高くなるに従って調光フィルタ４０の透過率を段階的に低くすると共に、映像表示部１０の輝度を段階的に高くするように制御してもよい。
【００４７】
なお、視認性が良好であると感じる調光フィルタの透過率と映像輝度との関係には個人差がある。従って、調節テーブルを複数記憶しておき、装着者がスイッチ等を用いて任意に切り替え可能な構成としておくと、より好ましい。これにより、周囲の明るさが変化しても、装着者それぞれの視認性を維持しながら、常に最小限の消費電力で映像を表示できる。
【００４８】
以上のように、表示装置１では、センサ６０で得た外光の光強度に基づいて、調光フィルタ４０の透過率と映像表示部１０の映像輝度を調節する。これにより、表示装置１の装着者が表示された映像を見やすいと感じる状態を維持しながら（装着者の視認性を損なわずに）、最小限の消費電力で映像を表示させることができる。その結果、表示装置１の電池による連続駆動時間を長くすることができる。
【００４９】
又、表示装置１の周囲の明るさが変化しても映像の視認性が変化せず、常に最小限の消費電力で映像を表示することができる。
【００５０】
又、映像輝度を低めに設定できるため、眼に入る光の強度が強くなり、眼精疲労を引き起こすおそれを低減できる。
【００５１】
〈第２の実施の形態〉
第２の実施の形態では、所定の式に基づいて調節テーブルを簡単かつ正確に作成する例を示す。なお、第２の実施の形態において、既に説明した実施の形態と同一構成部についての説明は省略する場合がある。
【００５２】
発明者らは、下記の式（１）及び（２）を導いた。以下では、式（１）及び（２）の導出と、式（１）及び（２）の技術的意義を中心に説明する。
【００５３】
Ｔ＝（Ｃ×ｋ）／（Ｄ×Ａ）・・・（１）
Ｄ＝−ｌｏｇ（（Ｌｍａｘ−Ｌ０）／（Ｌｍａｘ−Ｌｍｉｎ））・・・（２）
但し、式（１）及び（２）において、Ｔ：調光フィルタ４０の透過率、Ｃ：映像の光強度、Ａ：表示装置１の入射面での外光の光強度、Ｌｍａｘ：見やすさレベルの最大値、Ｌｍｉｎ：見やすさレベルの最小値、Ｌ０：見やすさレベルの閾値、ｋ：映像係数、である。
【００５４】
まず、図１等に示した表示装置１を用い、多数の被験者に対して、様々な明るさの外光環境のもと、調光フィルタ４０の透過率を変えながら、文字映像や写真映像に対して、５段階で視認性の官能評価を実施した。
【００５５】
図１４は、視認性の官能評価の一例の結果を示す図である。図１４は、外光１２０００ルクスの環境で、表示装置１を用いて、調光フィルタ４０の透過率を５％、１０％、１５％に変化させたときの文字映像の視認性の結果を示したものであり、映像の視認性レベルを縦軸、映像の光強度を横軸としている。
【００５６】
図１４に示すように、映像の光強度が高いほど映像の視認性レベルは高く、かつ、調光フィルタ４０の透過率を低くして外光を遮蔽するほど映像の視認性レベルは高い。この結果から、本発明者らは、図６で説明した透過光の光強度Ｂと映像の光強度Ｃとの比が、映像の視認性に依存すると考えた。
【００５７】
そこで、映像の光強度Ｃ（映像光量）と、透過光の光強度Ｂ（表示装置１を透過後の外光の光強度）との光強度比を『光強度比＝映像の光強度Ｃ／透過光の光強度Ｂ』と定義した。なお、夫々の光強度は照度センサの計測値若しくは輝度センサの計測値とした。又、映像の光強度は、白ベタ映像のときの光強度とした。
【００５８】
図１５は、図１４を光強度比に対する映像の視認性レベルとしてプロットし直した図である。図１５に示すように、調光フィルタ４０の各透過率（５％、１０％、１５％）での視認性レベルは同一カーブに全て乗り、光強度比により視認性レベルは一意的に決まる。これは、本発明者らが発見したものである。
【００５９】
更に、外光１０００ルクスから５００００ルクスの環境でも同様の実験を行った。そして、外光１０００ルクスから５００００ルクスの範囲内の、どの外光の明るさでも図１５の光強度と映像の視認性レベルのカーブに一致し、外光がどの明るさであっても、視認性は、本発明者らが定義した光強度比で決まることを確認した。
【００６０】
又、図１６に示すように、文字映像のように２階調しかない映像と、写真映像のように多階調からなる中間調映像では、光強度比に対する映像の視認性レベルのカーブが異なり、視認性を上げるには、中間調映像の方が光強度比を高くする必要があることがわかった。
【００６１】
発明者らは、これらの視認性官能評価実験に基づいて、図１４や図１５のグラフが式（３）及び（４）として表されることを導き出した。
【００６２】
Ｌ＝Ｌｍａｘ−（Ｌｍａｘ−Ｌｍｉｎ）×ｅｘｐ（−ｋ×光強度比）・・・（３）
光強度比＝Ｃ／（Ａ×Ｔ）・・・（４）
但し、式（３）及び（４）において、Ｔ：調光フィルタ４０の透過率、Ｃ：映像の光強度、Ａ：表示装置１の入射面での外光の光強度、Ｌ：映像の見やすさレベル、Ｌｍａｘ：見やすさレベルの最大値、Ｌｍｉｎ：見やすさレベルの最小値、ｋ：映像係数、である。
【００６３】
式（３）及び（４）から、Ｌの値として、映像の視認性レベルの閾値Ｌ０を選ぶことで、逆に、視認性に必要な調光フィルタ４０の透過率を求めることができる。それが、上記の式（１）及び（２）となる。
【００６４】
式（１）及び（２）において、映像の光強度Ｃは、導光板３０の眼と対向する面での光強度検出手段の検出値を意味する。しかし、光強度検出手段が眼に干渉するため、導光板３０の眼と対向する面に光強度検出手段を常時設けるのは困難である。そこで、図１７に示すように、予め、全面白ベタ映像の表示時に、導光板３０の眼と対向する面に光強度検出手段を設置して、映像表示部１０の光源の駆動電圧と光強度検出手段の検出値との関係を測定した。なお、光強度検出手段としては、照度センサが適するが、輝度センサを用いても構わない。
【００６５】
これにより、導光板３０の眼と対向する面に光強度検出手段を常時設けなくても、光源の駆動電圧の値から映像表示部１０の映像の光強度Ｃの値を算出することができる。つまり、図１７をテーブルデータとして、演算回路において、映像表示部１０の光源の電圧値から映像表示部１０の映像の光強度Ｃを算出することができる。但し、図１７を作成する場合、外光の光強度を検出するセンサ６０と全く同じセンサを用いる必要がある。
【００６６】
式（１）及び（２）において、映像の視認性レベルは、５段階でも１０段階でも構わない。例えば、５段階では、映像の視認性レベルの最大値は「５」で、最小値は「１」となる。映像の視認性レベルの閾値は、概ね、最大値の８０％が適し、映像の視認性レベルが５段階の場合には閾値は「４」程度が好ましい。
【００６７】
式（１）及び（２）の映像係数ｋは、表示する映像により決める係数であり、文字映像では概ね「１５〜５０」、写真映像等の中間調映像では概ね「５〜１５」の値とすることが好ましい。
【００６８】
このように、式（１）及び（２）を用いることで、光強度検出手段の検出値と映像表示部１０の光源の駆動電圧の値とをマトリックスとする調光フィルタ４０の透過率を決定する調節テーブルを簡単かつ正確に作成することができる。これにより、視認性の改善が可能となる。
【００６９】
本発明者らは、式（１）及び（２）で算出した調光フィルタ４０の透過率に対して、±２０％の範囲で値が増減しても、視認性に問題がないことを確認した。従って、作成された調節テーブルにおいて、調光フィルタ４０の透過率は、式（１）及び（２）で算出された値に完全に一致する必要はなく、式（１）及び（２）で算出された透過率に対して、±２０％の誤差の範囲内の透過率が適する。
【００７０】
［実施例２−１］
以下の条件により、図１の構成の表示装置１を作製した。
・表示装置本体（フロント１ａ、テンプル１ｂ）：ｍｏｖｅｒｉｏ  ＢＴ−２００（エプソン社）
・調光フィルタ４０：図８の特性を有するエレクトロクロミック素子
・センサ６０：アナログ照度センサＩＣ（ＢＨ１６００ＦＶＣ  ローム社）
・表示映像：白色の文字の画像（２０ポイント文字）
式（１）及び（２）で、Ａ＝センサ６０の信号電圧値、Ｌｍａｘ＝５、Ｌｍｉｎ＝１、Ｌ０＝４、ｋ＝４０、Ｃ＝光強度検出手段としてセンサ６０と同じものを用いて図１７を作成し、映像表示部１０の光源の駆動電圧の値から換算したセンサ６０の信号電圧値、とした。外光の光強度（センサ信号６０の電圧値）と映像の光強度（映像表示部１０の光源の駆動電圧の値）とのマトリックスからなる調光フィルタ４０の透過率の調節テーブル（図１８）を作成し、図７に示す制御部７０の調節テーブルとした。図１８において、ＥＣ駆動電圧とは、調光フィルタ４０の駆動電圧である。
【００７１】
なお、図１９に、市販照度計（コニカミノルタ社製）を用いて測定した外光の明るさに対するセンサ６０の出力電圧値の関係を示す。又、図２０に、今回作製したエレクトロクロミック素子による調光フィルタ４０の駆動電圧と透過率の関係を示す。これら、図１９及び図２０も制御部７０内においてテーブルデータとして用いた。
【００７２】
図７に示す制御部７０を備えた表示装置１を用い、作成した図１８の調節テーブルに基づいて制御を行い、１万ルクスの屋外において、文字映像を表示したところ、外光の光強度に基づいて調光フィルタ４０が作動し、文字をはっきり視認できた。
【００７３】
［実施例２−２］
式（１）及び（２）において『ｋ＝１０』とし、表示映像は、風景画像（２５６階調）とした以外は、実施例２−１と同様とした。
【００７４】
そして、実施例２−１と同様にして調節テーブルを作成し、図７に示す制御部７０を備えた表示装置１を用い、作成した調節テーブルに基づいて制御を行い、１万ルクスの屋外において、風景画像を表示した。その結果、外光の光強度に基づいて調光フィルタ４０が作動し、風景画像をはっきり視認できた。
【００７５】
〈第３の実施の形態〉
第３の実施の形態では、式（１）及び（２）に基づいてセンサ６０からの信号により演算回路において調節テーブルを随時作成する。そして、作成された調節テーブルに基づいて映像の視認性レベル（見やすさレベル）が閾値以上となるように調光フィルタ４０の透過率と映像の光強度を自動調節する例を示す。なお、第３の実施の形態において、既に説明した実施の形態と同一構成部についての説明は省略する場合がある。
【００７６】
図２１は、自動調節を行う制御部のブロックを例示する図であり、式（１）及び（２）に基づいて、センサ６０の光強度検出値と、その検出値から映像表示部１０の光源の光強度を決めるための電圧と、調光フィルタ４０の透過率を決めるための電圧を制御する回路構成の例である。
【００７７】
制御部７０は、センサ電圧検知回路７１と、映像認識処理回路７２と、光源電圧制御回路７３と、調光フィルタ電圧制御回路７４と、演算回路７５とを有する。センサ電圧検知回路７１は、表示装置１のセンサ６０の光強度に応じた信号電圧値を検知し、検知結果を演算回路７５に出力する回路である。
【００７８】
映像認識処理回路７２は、映像データに基づいて映像の種類（文字映像、写真映像、動画映像等）を認識し、その種類を演算回路７５に出力する回路である。光源電圧制御回路７３は、演算回路７５の指令に基づいて、映像表示部１０の光源の駆動電圧を制御する回路である。調光フィルタ電圧制御回路７４は、演算回路７５の指令に基づいて、調光フィルタ４０の駆動電圧を変えて透過率を制御する回路である。
【００７９】
演算回路７５は、センサ電圧検知回路７１と映像認識処理回路７２からの入力信号に基づいて、式（１）及び（２）に基づく演算を行い、最適な映像表示部１０の光源の駆動電圧と調光フィルタ４０の駆動電圧を算出して随時調節テーブルを作成する。そして、作成した調節テーブルに基づいて、光源電圧制御回路７３と調光フィルタ電圧制御回路７４に指令を送る。光源電圧制御回路７３は映像表示部１０の光源の光強度を多段階で自動調節し、調光フィルタ電圧制御回路７４は調光フィルタ４０の透過率を多段階で自動調節する。
【００８０】
本実施の形態によれば、センサ６０から外光の光強度Ａの情報を取得し、式（１）及び（２）に基づいて調節テーブルを随時作成し、作成した調節テーブルに基づいて、調光フィルタ４０の透過率と映像の光強度を自動調節する。これにより、外光の光強度に応じた膨大な複数の調節テーブルを用意する必要がなくなり、制御部７０の記憶容量を小さくすると共に、処理回路を小型化できる。又、調光フィルタ４０の透過率と映像表示部１０の映像の光強度を自動調節する処理速度が格段に速くなる。
【００８１】
［実施例３−１］
図２１の制御部７０を表示装置１に用いた以外は、実施例２−１と同様とした。具体的には、センサ６０からの入力信号値及び映像認識処理回路７２からの入力信号値に基づいて、演算回路７５において、外光に最も適する視認性を得るための調光フィルタ４０の駆動電圧と映像表示部１０の光源の駆動電圧を算出した。そして、演算回路７５において、各々最適な調光フィルタ４０の透過率と映像の明るさとに調整した。なお、演算に際して、図１９及び図２０のデータをテーブルデータとして参照するようにプログラミングした。
【００８２】
１０００ルクスの室内、１万ルクスの木陰、４万ルクスの炎天下において、文字映像を表示したところ、外光の光強度に基づいて調光フィルタ４０の透過率と映像の明るさが自動的に調整され、その明るさの下でも、文字をはっきり視認できた。
【００８３】
［実施例３−２］
式（１）及び（２）において『ｋ＝１０』とし、表示映像は、風景画像（２５６階調）とした以外は、実施例３−１と同様とした。
【００８４】
１０００ルクスの室内、１万ルクスの木陰、４万ルクスの炎天下において、文字映像を表示したところ、外光の光強度に基づいて調光フィルタ４０の透過率と映像の明るさが自動的に調整され、その明るさの下でも、風景画像をはっきり視認できた。
【００８５】
〈第４の実施の形態〉
第４の実施の形態では、映像表示部に映像を表示する前に調光フィルタの制御を開始する例を示す。なお、第４の実施の形態において、既に説明した実施の形態と同一構成部についての説明は省略する場合がある。
【００８６】
人の眼には、暗順応と明順応とがある。暗順応は、明るい環境から暗い環境に変化した場合、明るい環境での眼の感度を暗い環境での眼の感度に順応させることである。これは、瞳孔の対光反射と網膜の光感度に起因し、暗順応には一定の時間がかかる。このため、明るい場所から暗い場所に急に移動した場合、暗い場所の様子が認識できないことがある。
【００８７】
晴天の屋外において常時表示装置１を着用する場合、常に調光フィルタ４０が作動して、眼に強い光が入射しない場合は、映像の視認性は良好である。しかし、例えば、晴天の屋外に長時間滞在し、時折、表示装置１を使用する場合、眼の暗順応に時間がかかるため、調光フィルタ４０が作動しても暫くの時間は映像がよく認識できないおそれがある。
【００８８】
明るい環境で、時折、表示装置１を利用する場合のこの問題を解決するため、表示装置１の利用時に表示装置１のスイッチを入れると、まず、暗い条件に眼の感度が順応する時間内は、映像を表示せずに調光フィルタ４０のみを制御して作動させる。その後、映像を表示させる。これらの機能を表示装置１の制御部７０に組み込む。
【００８９】
表示装置１を装着した時点で、調光フィルタ４０のみ制御する時間は概ね１分くらいが適する。そのとき、調光フィルタ４０の透過率は最小になることが望ましく、２％〜５％になるよう制御する。調光フィルタ４０のみを制御する時間が過ぎた後は、外光の光強度に基づいて、映像が視認できるよう調光フィルタ４０と映像表示部１０の光源の光強度を最適な値に制御する。
【００９０】
本実施の形態によれば、調光フィルタ４０が先に機能して、眼に入射する外光を遮光し、暗いところに眼が慣れてくるタイミングで映像を表示するため、人の眼の暗順応に対処し、夏の晴天のように非常に明るい環境での映像の視認性を改善することができる。
【００９１】
［実施例４−１］
演算回路７５に、ユーザが表示装置１を装着してメインスイッチを入れると、自動的に調光フィルタ４０が透過率５％で１分間作動するようにプログラムした以外は、実施例３−１と同様とした。
【００９２】
外光の明るさ５万ルクスの晴天下で、表示装置１を装着し、メインスイッチを入れると、直ちに調光フィルタ４０が作動し、１分間映像が出ない状態で、少し濃いサングラスのように外光を遮光した。１分後、外光の光強度に基づいて調光フィルタ４０の透過率と映像表示部１０の光源の光強度が調整された状態で写真映像が表示され、映像をはっきり認識できた。
【００９３】
なお、比較のため、メインスイッチを入れても調光フィルタ４０が直ちに作動しないようにして、上記と同じく、外光の明るさ５万ルクスの晴天下で、表示装置１を装着した。その場合、スイッチを入れると、暫くして、外光の光強度に基づいて調光フィルタ４０の透過率と映像表示部１０の光源の光強度が調整され、写真映像を表示したが、１０分間は写真映像がよく視認できなかった。
【００９４】
〈第５の実施の形態〉
第５の実施の形態では、外光の光強度と調光フィルタの透過率とに基づいて映像表示部に表示する映像の階調数を変化させる例を示す。なお、第５の実施の形態において、既に説明した実施の形態と同一構成部についての説明は省略する場合がある。
【００９５】
夏の晴天のように非常に明るい環境下では、表示装置１において、映像を視認するためには、調光フィルタ４０の透過率を相当小さくする必要がある。例えば、６万ルクスの環境下では、調光フィルタ４０の透過率を２％程度にしないと一般の写真映像は視認できないことを本発明者らは視認性実験から掴んでいる。
【００９６】
しかし、調光フィルタ４０の透過率２％では、映像は視認できるが、逆に、周りの外部環境が見えづらくなり、歩行や映像を見ながらの作業に支障をきたすおそれがある。一方、６万ルクスの環境下で、文字映像の場合、調光フィルタ４０の透過率が１０％でも文字の視認が可能なことを、本発明者らは視認性実験から掴んでいる。透過率１０％なら、歩行や作業に全く支障がない。
【００９７】
上記の違いは、文字映像の場合、２値階調であるのに対し、写真映像は２５６階調等の多階調であり、階調数の多さである。階調数が多いと映像のコントラストが下がり、視認性が低くなる。この問題を解決するため、本実施の形態では、表示装置１の制御部７０に、外光の光強度Ａと調光フィルタ４０の透過率に基づいて映像表示部１０が表示する映像のガンマ値を補正する映像補正手段を設ける。
【００９８】
表示装置１で写真やグラフィック映像を視る目的が、歩行中の地図によるナビゲーションや作業指示の確認である場合、映像の再現性は意味がなく、例えば目的地までのルートのポイント地点や作業指示ポイント部分が認識できればよいことになる。本発明者らはこの点に着目し、写真やグラフィックのコントラストを極端に高くして、例えば、２５６階調を３階調から５階調程度まで下げることで、調光フィルタ４０の透過率１０％でも６万ルクスの晴天で、映像の中でポイントとなる部分を視認できることを見出した。
【００９９】
図２１の映像認識処理回路７２に、外光の光強度Ａと調光フィルタ４０の透過率に基づいて、映像の階調数を変化させる機能を持たせる。例えば、外光の光強度Ａが１万ルクスであり、調光フィルタ４０の透過率が１０％で、元の映像の階調数が２５６の場合、映像認識処理回路７２により階調数を１０に下げる処理を行う。又、外光の光強度Ａが６万ルクスであり、調光フィルタ４０の透過率が５％で、元の映像の階調数が２５６の場合、映像認識処理回路７２により階調数を４に下げる処理を行う。外光の光強度Ａ、調光フィルタ４０の透過率、及び下げるべき階調数との関係は、例えば、テーブルとして記憶しておけばよい。
【０１００】
本実施の形態によれば、外部が見える範囲の調光フィルタ４０の透過率（５％以上）で、非常に明るい外光下での中間調映像の視認性が改善し、外部の視認性と映像の視認性が両立可能となる。
【０１０１】
［実施例５−１］
映像認識処理回路７２に、外光の明るさに基づいて、表示する映像の階調数を変えるプログラムを組み込んだ以外は、実施例３−１と同様とした。
【０１０２】
図２２（ａ）に示す写真は、オリジナルの写真（階調数２５６）で、所定の明るさの環境下で、破線Ｄ１の枠内の部分を表示装置１において認識できればＯＫとする。
【０１０３】
図２２（ｂ）は、外光５万ルクスの環境下で、センサ６０からの信号に基づいて、映像認識処理回路７２において階調数を４０に下げた写真である。外光の明るさ５万ルクスの晴天下で、表示装置１を装着し、映像を表示したところ、外光の光強度に基づいて調光フィルタ４０の透過率と映像表示部１０の光源の光強度が調整された状態で図２２（ｂ）に示す写真映像が表示され、破線Ｄ２の枠内の部分をはっきり認識できた。
【０１０４】
又、比較のため、外光の明るさ５万ルクスの晴天下で、図２２（ａ）の状態で映像を表示した場合、破線Ｄ１の枠内に何が写っているのかはっきり認識できなかった。
【０１０５】
以上、好ましい実施の形態について詳説したが、上述した実施の形態に制限されることはなく、特許請求の範囲に記載された範囲を逸脱することなく、上述した実施の形態に種々の変形及び置換を加えることができる。
【符号の説明】
【０１０６】
１  表示装置
１ａ  フロント
１ｂ  テンプル
１０  映像表示部
２０  光学部
２１  レンズ
２２  ミラー
３０  導光板
４０  調光フィルタ
４１  表示基板
４２  酸化チタン粒子膜
４３  表示層
４４  スペーサ
４５  対向基板
５０  ハーフミラー
６０  センサ
７０  制御部
７１  センサ電圧検知回路
７２  映像認識処理回路
７３  光源電圧制御回路
７４  調光フィルタ電圧制御回路
７５  演算回路
８０  バックライト
９０  電源
１００  装着者
１００Ｌ  左眼
【先行技術文献】
【特許文献】
【０１０７】
【特許文献１】特許第３３７１１５６号
【図１】
2016139116.tif 000004
【図２】
2016139116.tif 000005
【図３】
2016139116.tif 000006
【図４】
2016139116.tif 000007
【図５】
2016139116.tif 000008
【図６】
2016139116.tif 000009
【図７】
2016139116.tif 000010
【図８】
2016139116.tif 000011
【図９】
2016139116.tif 000012
【図１０】
2016139116.tif 000013
【図１１】
2016139116.tif 000014
【図１２】
2016139116.tif 000015
【図１３】
2016139116.tif 000016
【図１４】
2016139116.tif 000017
【図１５】
2016139116.tif 000018
【図１６】
2016139116.tif 000019
【図１７】
2016139116.tif 000020
【図１８】
2016139116.tif 000021
【図１９】
2016139116.tif 000022
【図２０】
2016139116.tif 000023
【図２１】
2016139116.tif 000024
【図２２】
2016139116.tif 000025